(57)【要約】【課題】文化施設、公共施設又は交通施設の施設保護費用を捻出する広告システム、広告システムプログラム又は広告方法を提供すること。【解決手段】サーバ２００が、第２端末４００からサーバ又は広告情報にアクセスしたアクセス数をカウントするカウント部２６０と、第１端末３００の使用者とは異なる文化施設に対して、広告主から支払われた広告料の少なくとも一部が、カウント部２６０でカウントされたアクセス数に応じて、第１端末３００の使用者によって、文化施設の保護費用として支払われる支払額を、算出する保護費用算出部２７０と、を含み、通信部２１０を介して第２端末の表示部４３０に表示される前記文化施設情報であるＶＲ画像上に、前記広告情報を表示させる広告システム１００を提供する。【選択図】図６
2018186319.tif 000002
【特許請求の範囲】
【請求項１】
少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む文化施設情報を前記第２端末の表示部に表示させる施設情報部と、
広告情報を前記第２端末の表示部に表示させる広告情報部と、
前記第２端末から前記サーバ又は前記広告情報にアクセスしたアクセス数をカウントするカウント部と、
前記第１端末の使用者とは異なる文化施設に対して、広告主から支払われた広告料の少なくとも一部が、前記カウント部でカウントされたアクセス数に応じて、前記第１端末の使用者によって、文化施設の保護費用として支払われる支払額を、算出する保護費用算出部と、を含み、
前記通信部を介して前記第２端末の表示部に表示される前記文化施設情報であるＶＲ画像上に、前記広告情報を表示させる広告システム。
【請求項２】
少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む公共施設情報を前記第２端末の表示部に表示させる施設情報部と、
広告情報を前記第２端末の表示部に表示させる広告情報部と、
前記第２端末から前記サーバ又は前記広告情報にアクセスしたアクセス数をカウントするカウント部と、
前記第１端末の使用者とは異なる公共施設に対して、広告主から支払われた広告料の少なくとも一部が、前記カウント部でカウントされたアクセス数に応じて、前記第１端末の使用者によって、公共施設の保護費用として支払われる支払額を、算出する保護費用算出部と、を含み、
前記通信部を介して前記第２端末の表示部に表示される前記公共施設情報であるＶＲ画像上に、前記広告情報を表示させる広告システム。
【請求項３】
少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む交通施設情報を前記第２端末の表示部に表示させる施設情報部と、
広告情報を前記第２端末の表示部に表示させる広告情報部と、
前記第２端末から前記サーバ又は前記広告情報にアクセスしたアクセス数をカウントするカウント部と、
前記第１端末の使用者とは異なる交通施設に対して、広告主から支払われた広告料の少なくとも一部が、前記カウント部でカウントされたアクセス数に応じて、前記第１端末の使用者によって、交通施設の保護費用として支払われる支払額を、算出する保護費用算出部と、を含み、
前記通信部を介して前記第２端末の表示部に表示される前記交通施設情報であるＶＲ画像上に、前記広告情報を表示させる広告システム。
【請求項４】
前記保護費用算出部が、前記カウント部でカウントされたアクセス数に応じて広告料が算出され、該広告料に基づいて保護費用として支払われる支払額が算出されるものである請求項１、２又は３記載の広告システム。
【請求項５】
前記通信部を介して前記第２端末の表示部に、登録された店舗等で使用可能なクーポンを発行するクーポン発行部を含み、
前記クーポン発行部が、前記第２端末の表示部に広告動画を再生する広告動画部と、
前記広告動画が所定時間再生後又は終了後にクーポン選択画面を、前記第２端末の表示部に表示させるクーポン選択発行部と、を含み、
前記クーポン選択発行部によって表示されたクーポン選択画面からクーポンが選択されることにより、前記クーポンが前記第２端末の表示部に表示される請求項１乃至４記載の広告システム。
【請求項６】
少なくとも端末である第１端末及び第２端末と、前記第１端末及び前記第２端末と通信可能なサーバを含む広告システムのプログラムであって、
前記サーバが、
前記第１端末及び前記第２端末と通信可能な通信処理と、
３６０°ＶＲ画像を含む文化施設情報を前記第２端末の表示部に表示させる施設情報表示処理と、
広告情報を前記第２端末の表示部に表示させる広告情報表示処理と、
前記第２端末から前記サーバ又は前記広告情報にアクセスしたアクセス数をカウントするカウント処理と、
前記第１端末の使用者とは異なる文化施設に対して、広告主から支払われた広告料の少なくとも一部が、前記カウント処理でカウントされたアクセス数に応じて、前記第１端末の使用者によって、文化施設の保護費用として支払われる支払額を、算出する保護費用算出処理と、を含み、
前記通信処理を介して前記第２端末の表示部に表示される前記文化施設情報であるＶＲ画像上に、前記広告情報を表示させる広告システムのプログラム。
【請求項７】
少なくとも端末である第１端末及び第２端末と、前記第１端末及び前記第２端末と通信可能なサーバを含む広告システムのプログラムであって、
前記サーバが、
前記第１端末及び前記第２端末と通信可能な通信処理と、
３６０°ＶＲ画像を含む公共施設情報を前記第２端末の表示部に表示させる施設情報表示処理と、
広告情報を前記第２端末の表示部に表示させる広告情報表示処理と、
前記第２端末から前記サーバ又は前記広告情報にアクセスしたアクセス数をカウントするカウント処理と、
前記第１端末の使用者とは異なる公共施設に対して、広告主から支払われた広告料の少なくとも一部が、前記カウント処理でカウントされたアクセス数に応じて、前記第１端末の使用者によって、公共施設の保護費用として支払われる支払額を、算出する保護費用算出処理と、を含み、
前記通信処理を介して前記第２端末の表示部に表示される前記公共施設情報であるＶＲ画像上に、前記広告情報を表示させる広告システムのプログラム。
【請求項８】
少なくとも端末である第１端末及び第２端末と、前記第１端末及び前記第２端末と通信可能なサーバを含む広告システムのプログラムであって、
前記サーバが、
前記第１端末及び前記第２端末と通信可能な通信処理と、
３６０°ＶＲ画像を含む交通施設情報を前記第２端末の表示部に表示させる施設情報表示処理と、
広告情報を前記第２端末の表示部に表示させる広告情報表示処理と、
前記第２端末から前記サーバ又は前記広告情報にアクセスしたアクセス数をカウントするカウント処理と、
前記第１端末の使用者とは異なる交通施設に対して、広告主から支払われた広告料の少なくとも一部が、前記カウント処理でカウントされたアクセス数に応じて、前記第１端末の使用者によって、交通施設の保護費用として支払われる支払額を、算出する保護費用算出処理と、を含み、
前記通信処理を介して前記第２端末の表示部に表示される前記交通施設情報であるＶＲ画像上に、前記広告情報を表示させる広告システムのプログラム。
【請求項９】
少なくとも第１端末及び第２端末と、前記第１端末及び前記第２端末と通信可能なサーバを含む広告方法であって、
３６０°ＶＲ画像を含む文化施設情報を前記第２端末の表示部に表示させる施設情報表示工程と、
前記第２端末の表示部に表示される前記文化施設情報であるＶＲ画像上に広告情報を表示させる広告情報表示工程と、
前記第２端末から前記サーバ又は前記広告情報にアクセスしたアクセス数をカウントするカウント工程と、
前記カウント工程によりカウントされたアクセス数に応じて、広告主から第１端末の使用者に対して広告料が支払われる広告料支払工程と、
前記広告料支払工程によって第１端末の使用者に支払われた広告料から、前記第１端末の使用者とは異なる文化施設に対して前記広告料の少なくとも一部が文化施設保護費用として支払われる保護費用支払工程と、を含む広告方法。
【請求項１０】
少なくとも第１端末及び第２端末と、前記第１端末及び前記第２端末と通信可能なサーバを含む広告方法であって、
３６０°ＶＲ画像を含む公共施設情報を前記第２端末の表示部に表示させる施設情報表示工程と、
前記第２端末の表示部に表示される前記公共施設情報であるＶＲ画像上に広告情報を表示させる広告情報表示工程と、
前記第２端末から前記サーバ又は前記広告情報にアクセスしたアクセス数をカウントするカウント工程と、
前記カウント工程によりカウントされたアクセス数に応じて、広告主から第１端末の使用者に対して広告料が支払われる広告料支払工程と、
前記広告料支払工程によって第１端末の使用者に支払われた広告料から、前記第１端末の使用者とは異なる公共施設に対して前記広告料の少なくとも一部が施設保護費用として支払われる保護費用支払工程と、を含む広告方法。
【請求項１１】
少なくとも第１端末及び第２端末と、前記第１端末及び前記第２端末と通信可能なサーバを含む広告方法であって、
３６０°ＶＲ画像を含む交通施設情報を前記第２端末の表示部に表示させる施設情報表示工程と、
前記第２端末の表示部に表示される前記交通施設情報であるＶＲ画像上に広告情報を表示させる広告情報表示工程と、
前記第２端末から前記サーバ又は前記広告情報にアクセスしたアクセス数をカウントするカウント工程と、
前記カウント工程によりカウントされたアクセス数に応じて、広告主から第１端末の使用者に対して広告料が支払われる広告料支払工程と、
前記広告料支払工程によって第１端末の使用者に支払われた広告料から、前記第１端末の使用者とは異なる交通施設に対して前記広告料の少なくとも一部が施設保護費用として支払われる保護費用支払工程と、を含む広告方法。
【発明の詳細な説明】
【技術分野】
【０００１】
本発明は、広告システム、広告システムプログラム及び広告方法に関する。
【背景技術】
【０００２】
従来、動物園や植物園等の文化施設では、無料Ｗｉ−Ｆｉ等の無線通信によるインターネットサービスが充実していなかった。【０００３】
しかし、無料のＷｉ−Ｆｉサービス等を提供するには、費用がかかりコスト面で問題があった。【０００４】
一方、動物園や植物園等は、施設を維持していくための費用も捻出しなければならないという問題があった。【０００５】
特許文献１は、地図スペースのコンテンツアイテムを選択するためのオンライン地図広告システムである。特許文献１では、ウェブ上の地図スペースの空欄部分に広告を掲載することが記載されている。しかし、特許文献１に係る発明では上記問題を解決するのは難しい。
【先行技術文献】
【特許文献】
【０００６】
【特許文献１】特開２０１５−０９２３４４号公報
【発明の概要】
【発明が解決しようとする課題】
【０００７】
動物園や植物園等の文化施設では、施設内の壁面に広告が掲載されたり、施設のＨＰに広告が掲載されるだけであった。【０００８】
そして、そのような広告費用だけでは、動物園や植物園等の文化施設が維持される費用としては不十分である。【０００９】
また、無料のＷｉ−Ｆｉサービス等を提供することも費用的に困難であった。【００１０】
一方、公園等の公共施設では、遊具等による事故を防止するため、常に清掃やメンテナンスが必要であり、そのような清掃及びメンテナンス費用が捻出される必要があった。【００１１】
また、公園等の公共施設や街中にある公衆トイレでは、常に清掃が必要であり、そのような清掃費用が捻出される必要があった。【００１２】
一方、空港や電車又はバス等の駅等の交通施設においても、トイレを含む空港内、駅内の清掃費用がかかり、その費用が捻出される必要があった。【００１３】
しかし、特に公共施設では、清掃費用やメンテナンス費用を捻出するのは非常に困難であった。【００１４】
一方、公園等の公共施設や駅等の交通施設では、無料Ｗｉ−Ｆｉサービス等が提供されているところもあるが、広告等の効果があまりなかった。【００１５】
また、公園等の公共施設や駅等の交通施設では、施設内の壁面に広告が掲載されたり、施設のＨＰに広告が掲載されるだけのところが多い。【００１６】
一方、文化施設、公共施設又は交通施設のＨＰで寄付金等を募ることも可能であるが、文化施設等の維持を希望する人々であっても、寄付金を提供するまでには至らない人々が多数いる。【００１７】
また、文化施設等に寄付金等を提供するためには、所定の口座に振り込み等をしなければならず、手続きが煩わしいという問題があった。【００１８】
そのため、寄付金等だけでは文化施設、公共施設又は交通施設の維持費用としては不十分であった。【００１９】
一方、外国人観光客は、無料のＷｉ−Ｆｉを活用している人も多いが、このような公共施設や交通施設の敷地内で、インターネットに接続できず、スマートフォンやタブレット等の端末を利用することができないという問題があった。【００２０】
本発明の目的は、文化施設情報に関連して広告情報を端末に表示させる広告システムを提供することである。【００２１】
本発明の他の目的は、公共施設情報に関連して広告情報を端末に表示させる広告システムを提供することである。【００２２】
本発明の他の目的は、交通施設情報に関連して広告情報を端末に表示させる広告システムを提供することである。【００２３】
本発明の他の目的は、文化施設、公共施設又は交通施設の施設保護費用を捻出する広告システム、広告システムプログラム又は広告方法を提供することである。【００２４】
本発明の他の目的は、清掃費用やメンテナンス費用を捻出する広告システムを提供することである。
【課題を解決するための手段】
【００２５】
本発明の第１の局面は、少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む文化施設情報を前記第２端末の表示部に表示させる施設情報部と、
広告情報を前記第２端末の表示部に表示させる広告情報部と、
前記第２端末から前記サーバ又は前記広告情報にアクセスしたアクセス数をカウントするカウント部と、
前記第１端末の使用者とは異なる文化施設に対して、広告主から支払われた広告料の少なくとも一部が、前記カウント部でカウントされたアクセス数に応じて、前記第１端末の使用者によって、文化施設の保護費用として支払われる支払額を、算出する保護費用算出部と、を含み、
前記通信部を介して前記第２端末の表示部に表示される前記文化施設情報であるＶＲ画像上に、前記広告情報を表示させる広告システムである。【００２６】
「文化施設情報」とは、動物園、植物園、水族館、美術館、博物館、図書館、資料館、記念館、劇場、音楽堂、プラネタリウム等の文化施設に関連する情報のことである。文化施設情報には、文化施設関連画像（文化施設関連画像データ）及び当該画像に関連する情報が含まれる。【００２７】
例えば、文化施設が動物園の場合、「文化施設情報」には、動物園自体の情報だけでなく、動物の情報等も含まれる。文化施設が植物園の場合、「文化施設情報」には、植物園自体の情報だけでなく、植物の情報等も含まれる。【００２８】
文化施設が水族館の場合、「文化施設情報」には魚やイルカ、クジラ等の情報が含まれる。文化施設が美術館、博物館、資料館、記念館等の場合、「文化施設情報」には、建物の情報だけでなく、その展示品の情報も含まれる。【００２９】
文化施設が劇場、音楽堂等の場合、建物の情報だけでなく、その劇、オペラ、ミュージカル、音楽等の内容の情報も含まれる。【００３０】
その他、文化施設情報には、動物園、植物園等の文化施設の由縁や歴史、成り立ちといった内容も含まれる。なお、文化施設情報には動画や文字情報も含まれる。【００３１】
なお、「文化施設」とは、文化・芸術活動のために使用される施設の総称であり、動物園、植物園、水族館、美術館、博物館、図書館、資料館、記念館、劇場、音楽堂、プラネタリウム等も含まれる概念である。【００３２】
本発明の第２の局面に係る広告システムは、少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む公共施設情報を前記第２端末の表示部に表示させる施設情報部と、
広告情報を前記第２端末の表示部に表示させる広告情報部と、
前記第２端末から前記サーバ又は前記広告情報にアクセスしたアクセス数をカウントするカウント部と、
前記第１端末の使用者とは異なる公共施設に対して、広告主から支払われた広告料の少なくとも一部が、前記カウント部でカウントされたアクセス数に応じて、前記第１端末の使用者によって、公共施設の保護費用として支払われる支払額を、算出する保護費用算出部と、を含み、
前記通信部を介して前記第２端末の表示部に表示される前記公共施設情報であるＶＲ画像上に、前記広告情報を表示させる広告システムである。【００３３】
「公共施設情報」とは、道路、公園、下水道、学校、図書館、砂浜、病院等の公共施設に関連する情報のことである。公共施設情報には、公共施設関連画像（公共施設関連画像データ）及び当該画像に関連する情報が含まれる。【００３４】
なお、「公共施設」とは、道路、公園、下水道、学校、図書館、砂浜、病院等の公共事業によって供給される施設のことをいう。【００３５】
本発明の第３の局面に係る広告システムは、少なくとも端末である第１端末及び第２端末と、前記第１端末及び前記第２端末と通信可能なサーバとを含む広告システムであって、
前記サーバが、
前記第１端末及び前記第２端末と通信可能な通信部と、
３６０°ＶＲ画像を含む交通施設情報を前記第２端末の表示部に表示させる施設情報部と、
広告情報を前記第２端末の表示部に表示させる広告情報部と、
前記第２端末から前記サーバ又は前記広告情報にアクセスしたアクセス数をカウントするカウント部と、
前記第１端末の使用者とは異なる交通施設に対して、広告主から支払われた広告料の少なくとも一部が、前記カウント部でカウントされたアクセス数に応じて、前記第１端末の使用者によって、交通施設の保護費用として支払われる支払額を、算出する保護費用算出部と、を含み、
前記通信部を介して前記第２端末の表示部に表示される前記交通施設情報であるＶＲ画像上に、前記広告情報を表示させる広告システムである。【００３６】
「交通施設情報」とは、道路、鉄道、バス、港湾、空港等の交通施設に関連する情報のことである。交通施設情報には、交通施設関連画像（交通施設関連画像データ）及び当該画像に関連する情報が含まれる。【００３７】
例えば、交通施設が鉄道の場合、「交通施設情報」には、鉄道の駅の情報が含まれる。また、「交通施設情報」には、電車、バス、船、飛行機の情報も含まれる。【００３８】
なお、「交通施設」とは、道路、鉄道、バス、港湾、空港等の人や物の移動を行うための施設をいう。【００３９】
広告情報には、文字情報だけでなく、広告情報画像及び当該画像に関連する情報が含まれる。また、広告情報の表示による広告料は、文化施設維持、公共施設維持又は交通施設維持のために用いることができる。【００４０】
つまり、第１端末の使用者が広告主から得た広告料の少なくとも一部が、第１端末の使用者から文化施設、公共施設又は交通施設に施設保護費用として支払われるため、文化施設、公共施設又は交通施設は、当該広告料によって、施設の保護をすることができる。【００４１】
具体的には、第２端末からサーバ又は広告情報（Ｗｅｂサイト等）にアクセスしたアクセス数がカウント部によってカウントされ、そのカウントされたアクセス数に応じて、第１端末の使用者が、文化施設、公共施設又は交通施設に対して、文化施設保護費用、公共施設保護費用又は交通施設保護費用として支払う。【００４２】
第１端末の使用者には、実際の第１端末の使用者だけでなく、第１端末の使用者と同視できる者も含まれる。例えば、第１端末の使用者から依頼された第三者が、広告主から広告料を受け取り、文化施設に対して施設保護費用として広告料の少なくとも一部を支払うとしてもよい。【００４３】
本発明では、文化施設情報、公共施設情報及び交通施設情報の少なくともいずれかの情報と共に広告情報が端末の表示部に表示される。【００４４】
そのため、端末の利用者にとっては、文化施設情報、公共施設情報又は交通施設情報を入手すると共に、例えばそれらの施設が設けられている場所（地域）の周辺の広告情報（例えば店舗情報等）も入手することができ、観光に利用することができるという利点がある。【００４５】
また、広告主にとっては、文化施設情報、公共施設情報又は交通施設情報と共に広告情報が端末の表示部に表示されるため、例えば、広告の対象である店舗や商品等のブランド化に繋がるという利点がある。【００４６】
また、広告主である企業等にとっては、広告を掲載するだけで、動物園、植物園等の文化施設、公共施設に対して維持費用を支払うことになり、ＣＳＲ（Ｃｏｒｐｒａｔｅ  Ｓｏｃｉａｌ  Ｒｅｓｐｏｎｓｉｂｉｌｉｔｙ）を果たすことになるという利点がある。【００４７】
動物園、植物園等の文化施設にとっては、広告収入を文化施設の維持費用に充当することができるという利点がある。そして、文化施設等は、広告収入により文化施設の修繕等を行うことができ、文化施設を維持することができる。【００４８】
動物園・水族館等の文化施設では、動物・魚等のエサ代が非常にかかり、また、飼育員の給料等も賄う必要がある。このような文化施設においては、これらの費用を広告費用で賄うことができるという利点がある。【００４９】
また、動物園・植物園等の文化施設は、広告費用を得ることにより、新しいサービスを提供したり、入園料、入館料等を下げることが可能である。また、第１端末の使用者が広告主から得た広告料の少なくとも一部が、第１端末の使用者から文化施設、公共施設又は交通施設に対して、施設保護費用として支払われるため、文化施設、公共施設又は交通施設は、設備投資等の費用負担がなく費用リスクをなくすことができるという利点がある。【００５０】
広告情報が文化施設情報と共に端末に表示されることにより生じる広告費用が、文化施設維持費用に充当されることにより、端末の利用者は、端末に表示される広告を見ることで観光地の文化施設維持に繋がり、社会貢献をすることができる。  【００５１】
また、文化施設が設けられている場所の周辺の企業、店舗等は、広告情報が文化施設情報と共に端末に表示されることにより、端末の利用者に対して広告宣伝できるだけでなく、その広告費用が文化施設維持費用に充当されることにより、文化施設維持という地域貢献、社会貢献、ＣＳＲ活動を行うことができる。【００５２】
公園等の公共施設では、例えば公共施設が公園の場合、遊具のメンテナンス費用、芝生や砂場の管理費用、トイレの清掃費用、敷地内の清掃費用、建物の維持費用、清掃員の給料等も捻出する必要がある。【００５３】
第１端末の使用者が得た広告料の少なくとも一部が、第１端末の使用者から公共施設保護費用として公共施設に支払われるため、このような公共施設においては、上記の費用を広告費用で賄うことができるという利点がある。【００５４】
また、公園等の公共施設は、広告費用を得ることにより、新しいサービスを提供したり、新しい遊具を導入したりすることが可能である。【００５５】
広告情報が公共施設情報と共に端末に表示されることにより生じる広告費用が、公共施設維持費用に充当されることにより、端末の利用者は、端末に表示される広告を見ることで公共施設維持に繋がり、社会貢献をすることができる。  【００５６】
また、公共施設が設けられている場所の周辺の企業、店舗等は、広告情報が公共施設情報と共に端末に表示されることにより、端末の利用者に対して広告宣伝できるだけでなく、その広告費用が公共施設維持費用に充当されることにより、公共施設維持という地域貢献、社会貢献、ＣＳＲ活動を行うことができる。【００５７】
鉄道、バス、空港等の交通施設では、例えば市営地下鉄等の鉄道の場合、駅内の清掃費用、駅内のトイレの清掃費用、案内サービス費用、清掃員等の給料等の費用を捻出する必要がある。【００５８】
このような交通施設においては、これらの費用を広告費用で賄うことができるという利点がある。【００５９】
また、鉄道等の交通施設は、広告費用を得ることにより、それを衛生面の向上に役立てることができる。つまり、鉄道等の交通施設は、広告費用をトイレの清掃等に充当することができる。【００６０】
広告情報が鉄道施設情報と共に端末に表示されることにより生じる広告費用が、鉄道施設の衛生面向上のための費用に充当されることにより、端末の利用者は、端末に表示される広告を見ることで鉄道施設の衛生面の向上に繋がり、社会貢献をすることができる。  【００６１】
また、交通施設が設けられている場所の周辺の企業、店舗等は、広告情報が交通施設情報と共に端末に表示されることにより、端末の利用者に対して広告宣伝できるだけでなく、その広告費用が交通施設の衛生面向上のための費用に充当されることにより、地域貢献、社会貢献、ＣＳＲ活動を行うことができる。【００６２】
さらに、地域貢献、社会貢献、ＣＳＲ活動でどのようなことをすればよいか困っている企業の手助けとなる。【００６３】
また、ＣＳＲの予算を組まなければならない大企業は、本発明を用いてＣＳＲ活動を行うことにより、ＣＳＲの費用を広告費用に充当することができる。したがって、このような大企業にとっては、広告費用を削減することができるという利点がある。【００６４】
また、当該広告費用が文化施設維持費用に充当されることにより、文化施設が保護され、国又は地方公共団体にとっては、地域経済の活性化という利点がある。【００６５】
また、動物園、植物園等の文化施設が設けられている地域、公園等の公共施設が設けられている地域、又は交通施設が設けられている地域が活性化することにより、大企業等の企業の地方への注目度が高まり、大企業等の企業が、文化施設が設けられている地域に投資し、より地域経済が活性化するという効果を有する。【００６６】
本発明の第４の局面に係る広告システムは、第１の局面、第２の局面又は第３の局面に係る広告システムであって、前記保護費用算出部が、前記カウント部でカウントされたアクセス数に応じて広告料が算出され、該広告料に基づいて保護費用として支払われる支払額が算出されるものである広告システムである。【００６７】
つまり、カウント部でカウントされたアクセス数に応じて施設保護費用が算出されるが、当該算出は、アクセス数に応じて広告料が算出され、当該広告料に基づいて施設保護費用が算出されるものである。【００６８】
具体的には、サーバ又は広告情報にアクセスしたアクセス数に応じて広告料が算出され、広告主が算出された広告料を第１端末の使用者に対して支払う。そして、当該広告料から施設保護費用が算出され、第１端末の使用者が、文化施設、公共施設又は交通施設に対して支払う。つまり、サーバ又は広告情報にアクセスしたアクセス数に応じて施設保護費用が算出される。【００６９】
本発明の第５の局面に係る広告システムは、第１の局面乃至第４の局面に係る広告システムであって、前記通信部を介して前記第２端末の表示部に、登録された店舗等で使用可能なクーポンを発行するクーポン発行部を含み、
前記クーポン発行部が、前記第２端末の表示部に広告動画を再生する広告動画部と、
前記広告動画が所定時間再生後又は終了後にクーポン選択画面を、前記第２端末の表示部に表示させるクーポン選択発行部と、を含み、
前記クーポン選択発行部によって表示されたクーポン選択画面からクーポンが選択されることにより、前記クーポンが前記第２端末の表示部に表示される広告システムである。【００７０】
第２端末の利用者に広告動画を視聴してもらうことにより、広告効果がより効果的となる。【００７１】
また、第２端末の利用者は、広告動画を視聴するだけで登録されている店舗等の割引クーポンやサービス追加クーポンを取得することができるため、広告動画へのアクセス数も向上する。【００７２】
また、第２端末の利用者は、広告動画を視聴することによって文化施設、公共施設又は交通施設の施設保護に貢献することができる。【００７３】
本発明に係る広告システムは、前記通信部を介して前記端末の表示部に地図情報を表示させる地図情報部、
前記端末の表示部に観光情報を表示させる観光情報部、
前記端末の表示部に交通情報を表示させる交通情報部、
前記端末の表示部に緊急情報を表示させる緊急情報部、
及び、前記端末の表示部に、目的地までの案内情報を表示させる案内情報部、の少なくともいずれかを含むものが好ましい。また、天気情報が前記端末の表示部に表示されてもよい。【００７４】
このようなものであれば、端末の表示部に文化施設情報、公共施設情報又は交通施設情報と共に、観光情報、交通情報、緊急情報又は案内情報が表示されるため、端末の利用者にとって活用し易くなる。【００７５】
具体的には、文化施設が設けられている動物園、植物園等の周辺の観光情報がわかる。また、文化施設が設けられている動物園、植物園等へどの交通機関を利用すればよいかといった交通情報がわかる。また、災害時の避難情報等の緊急情報がわかる。また、目的地まで案内する案内情報がわかる。公共施設及び交通施設でも同様である。【００７６】
「観光情報」とは、文化施設、公共施設又は交通施設が設けられている場所の地域や都道府県の観光スポット情報、店舗情報、商品情報、ホテル情報、旅館情報、ゲストハウス情報、イベント情報、体験情報等のことである。【００７７】
「イベント情報」とは、その時期に行われている各種イベントのことである。例えば水族館であれば、イルカショー等のイベントが挙げられる。【００７８】
「体験情報」とは、例えば動物園であれば、エサやり体験、動物とのふれあい体験等の様々の体験情報のことである。【００７９】
「交通情報」とは、目的地までどのバスやどの電車に乗ればよいかといったアクセス情報、交通渋滞情報、事故情報、交通規制情報等のことである。【００８０】
「緊急情報」とは、緊急地震速報、津波警報、気象等に関する特別警報等のことである。【００８１】
「案内情報」とは、ナビゲーションシステムを用いた目的地までの案内情報のことである。【００８２】
本発明の第６の局面に係る広告システムのプログラムは、少なくとも端末である第１端末及び第２端末と、前記第１端末及び前記第２端末と通信可能なサーバを含む広告システムのプログラムであって、
前記サーバが、
前記第１端末及び前記第２端末と通信可能な通信処理と、
３６０°ＶＲ画像を含む文化施設情報を前記第２端末の表示部に表示させる施設情報表示処理と、
広告情報を前記第２端末の表示部に表示させる広告情報表示処理と、
前記第２端末から前記サーバ又は前記広告情報にアクセスしたアクセス数をカウントするカウント処理と、
前記第１端末の使用者とは異なる文化施設に対して、広告主から支払われた広告料の少なくとも一部が、前記カウント処理でカウントされたアクセス数に応じて、前記第１端末の使用者によって、文化施設の保護費用として支払われる支払額を、算出する保護費用算出処理と、を含み、
前記通信処理を介して前記第２端末の表示部に表示される前記文化施設情報であるＶＲ画像上に、前記広告情報を表示させる広告システムのプログラムである。【００８３】
本発明の第７の局面に係る広告システムのプログラムは、少なくとも端末である第１端末及び第２端末と、前記第１端末及び前記第２端末と通信可能なサーバを含む広告システムのプログラムであって、
前記サーバが、
前記第１端末及び前記第２端末と通信可能な通信処理と、
３６０°ＶＲ画像を含む公共施設情報を前記第２端末の表示部に表示させる施設情報表示処理と、
広告情報を前記第２端末の表示部に表示させる広告情報表示処理と、
前記第２端末から前記サーバ又は前記広告情報にアクセスしたアクセス数をカウントするカウント処理と、
前記第１端末の使用者とは異なる公共施設に対して、広告主から支払われた広告料の少なくとも一部が、前記カウント処理でカウントされたアクセス数に応じて、前記第１端末の使用者によって、公共施設の保護費用として支払われる支払額を、算出する保護費用算出処理と、を含み、
前記通信処理を介して前記第２端末の表示部に表示される前記公共施設情報であるＶＲ画像上に、前記広告情報を表示させる広告システムのプログラムである。【００８４】
本発明の第８の局面に係る広告システムのプログラムは、少なくとも端末である第１端末及び第２端末と、前記第１端末及び前記第２端末と通信可能なサーバを含む広告システムのプログラムであって、
前記サーバが、
前記第１端末及び前記第２端末と通信可能な通信処理と、
３６０°ＶＲ画像を含む交通施設情報を前記第２端末の表示部に表示させる施設情報表示処理と、
広告情報を前記第２端末の表示部に表示させる広告情報表示処理と、
前記第２端末から前記サーバ又は前記広告情報にアクセスしたアクセス数をカウントするカウント処理と、
前記第１端末の使用者とは異なる交通施設に対して、広告主から支払われた広告料の少なくとも一部が、前記カウント処理でカウントされたアクセス数に応じて、前記第１端末の使用者によって、交通施設の保護費用として支払われる支払額を、算出する保護費用算出処理と、を含み、
前記通信処理を介して前記第２端末の表示部に表示される前記交通施設情報であるＶＲ画像上に、前記広告情報を表示させる広告システムのプログラムである。【００８５】
第２端末からサーバ又は広告情報（Ｗｅｂサイト等）にアクセスしたアクセス数がカウント処理によってカウントされ、そのカウントされたアクセス数に応じて、第１端末の使用者が、文化施設、公共施設又は交通施設に対して、文化施設保護費用、公共施設保護費用又は交通施設保護費用として支払う。【００８６】
第１端末の使用者には、実際の第１端末の使用者だけでなく、第１端末の使用者と同視できる者も含まれる。例えば、第１端末の使用者から依頼された第三者が、広告主から広告料を受け取り、文化施設に対して施設保護費用として広告料の少なくとも一部を支払うとしてもよい。【００８７】
文化施設情報と共に広告情報が端末の表示部に表示されるため、端末の利用者にとっては、文化施設情報を入手すると共に、例えばその文化施設が設けられている場所（地域）の周辺の広告情報（例えば店舗情報等）も入手することができ、観光に利用することができるという利点がある。【００８８】
また、広告主にとっては、文化施設情報と共に広告情報が端末の表示部に表示されるため、例えば、広告の対象である店舗や商品等のブランド化に繋がるという利点がある。【００８９】
また、広告主である企業等にとっては、広告を掲載するだけで、動物園、植物園等の文化施設に対して維持費用を支払うことになり、ＣＳＲを果たすことになるという利点がある。【００９０】
動物園、植物園等の文化施設にとっては、広告収入を文化施設の維持費用に充当することができるという利点がある。そして、文化施設等は、広告収入により文化施設の修繕等を行うことができ、文化施設を維持することができる。【００９１】
動物園・水族館等の文化施設では、動物・魚等のエサ代が非常にかかり、また、飼育員の給料等も賄う必要がある。このような文化施設においては、これらの費用を広告費用で賄うことができるという利点がある。【００９２】
また、動物園・植物園等の文化施設は、広告費用を得ることにより、新しいサービスを提供したり、入園料、入館料等を下げることが可能である。【００９３】
広告情報が文化施設情報と共に端末に表示されることにより生じる広告費用が、文化施設維持費用に充当されることにより、利用者等の端末の利用者は、端末に表示される広告を見ることで観光地の文化施設維持に繋がり、社会貢献をすることができる。  【００９４】
また、文化施設が設けられている場所の周辺の企業、店舗等は、広告情報が文化施設情報と共に端末に表示されることにより、利用者等の端末の利用者に対して広告宣伝できるだけでなく、その広告費用が文化施設維持費用に充当されることにより、文化施設維持という地域貢献、社会貢献、ＣＳＲ活動を行うことができる。【００９５】
公園等の公共施設では、例えば公共施設が公園の場合、遊具のメンテナンス費用、芝生や砂場の管理費用、トイレの清掃費用、敷地内の清掃費用、建物の維持費用、清掃員の給料等も捻出する必要がある。【００９６】
このような公共施設においては、これらの費用を広告費用で賄うことができるという利点がある。【００９７】
また、公園等の公共施設は、広告費用を得ることにより、新しいサービスを提供したり、新しい遊具を導入したりすることが可能である。【００９８】
広告情報が公共施設情報と共に端末に表示されることにより生じる広告費用が、公共施設維持費用に充当されることにより、利用者等の端末の利用者は、端末に表示される広告を見ることで公共施設維持に繋がり、社会貢献をすることができる。  【００９９】
また、公共施設が設けられている場所の周辺の企業、店舗等は、広告情報が公共施設情報と共に端末に表示されることにより、利用者等の端末の利用者に対して広告宣伝できるだけでなく、その広告費用が公共施設維持費用に充当されることにより、公共施設維持という地域貢献、社会貢献、ＣＳＲ活動を行うことができる。【０１００】
鉄道、バス、空港等の交通施設では、例えば市営地下鉄等の鉄道の場合、駅内の清掃費用、駅内のトイレの清掃費用、案内サービス費用、清掃員等の給料等の費用を捻出する必要がある。【０１０１】
このような交通施設においては、これらの費用を広告費用で賄うことができるという利点がある。【０１０２】
また、鉄道等の交通施設は、広告費用を得ることにより、それを衛生面の向上に役立てることができる。つまり、鉄道等の交通施設は、広告費用をトイレの清掃等に充当することができる。【０１０３】
広告情報が鉄道施設情報と共に端末に表示されることにより生じる広告費用が、鉄道施設の衛生面向上のための費用に充当されることにより、鉄道の利用者等である端末の利用者は、端末に表示される広告を見ることで鉄道施設の衛生面の向上に繋がり、社会貢献をすることができる。  【０１０４】
また、交通施設が設けられている場所の周辺の企業、店舗等は、広告情報が交通施設情報と共に端末に表示されることにより、利用者等の端末の利用者に対して広告宣伝できるだけでなく、その広告費用が交通施設の衛生面向上のための費用に充当されることにより、地域貢献、社会貢献、ＣＳＲ活動を行うことができる。【０１０５】
さらに、地域貢献、社会貢献、ＣＳＲ活動でどのようなことをすればよいか困っている企業の手助けとなる。【０１０６】
また、ＣＳＲの予算を組まなければならない大企業は、本発明を用いてＣＳＲ活動を行うことにより、ＣＳＲの費用を広告費用に充当することができる。したがって、このような大企業にとっては、広告費用を削減することができるという利点がある。【０１０７】
また、当該広告費用が文化施設維持費用に充当されることにより、文化施設が保護され、国又は地方公共団体にとっては、地域経済の活性化という利点がある。【０１０８】
また、動物園、植物園等の文化施設が設けられている地域が活性化することにより、大企業等の企業の地方への注目度が高まり、大企業等の企業が、文化施設が設けられている地域に投資し、より地域経済が活性化するという効果を有する。【０１０９】
本発明に係る広告システムのプログラムは、前記通信処理により前記端末の表示部に地図情報を表示させる地図情報処理、
前記端末の表示部に観光情報を表示させる観光情報表示処理、
前記端末の表示部に交通情報を表示させる交通情報表示処理、
前記端末の表示部に緊急情報を表示させる緊急情報表示処理、
及び、前記端末の表示部に、目的地までの案内情報を表示させる案内情報表示処理、の少なくともいずれかを含むプログラムが好ましい。【０１１０】
このようなものであれば、端末の表示部に文化施設情報、公共施設情報又は交通施設情報と共に、観光情報、交通情報、緊急情報又は案内情報が表示されるため、端末の利用者にとって活用し易くなる。【０１１１】
具体的には、文化施設が設けられている動物園、植物園等の周辺の観光情報がわかる。また、文化施設が設けられている動物園、植物園等へどの交通機関を利用すればよいかといった交通情報がわかる。また、災害時の避難情報等の緊急情報がわかる。また、目的地まで案内する案内情報がわかる。公共施設及び交通施設も同様である。【０１１２】
本発明の第９の局面に係る広告方法は、少なくとも第１端末及び第２端末と、前記第１端末及び前記第２端末と通信可能なサーバを含む広告方法であって、
３６０°ＶＲ画像を含む文化施設情報を前記第２端末の表示部に表示させる施設情報表示工程と、
前記第２端末の表示部に表示される前記文化施設情報であるＶＲ画像上に広告情報を表示させる広告情報表示工程と、
前記第２端末から前記サーバ又は前記広告情報にアクセスしたアクセス数をカウントするカウント工程と、
前記カウント工程によりカウントされたアクセス数に応じて、広告主から第１端末の使用者に対して広告料が支払われる広告料支払工程と、
前記広告料支払工程によって第１端末の使用者に支払われた広告料から、前記第１端末の使用者とは異なる文化施設に対して前記広告料の少なくとも一部が文化施設保護費用として支払われる保護費用支払工程と、を含む広告方法である。【０１１３】
本発明の第１０の局面に係る広告方法は、少なくとも第１端末及び第２端末と、前記第１端末及び前記第２端末と通信可能なサーバを含む広告方法であって、
３６０°ＶＲ画像を含む公共施設情報を前記第２端末の表示部に表示させる施設情報表示工程と、
前記第２端末の表示部に表示される前記公共施設情報であるＶＲ画像上に広告情報を表示させる広告情報表示工程と、
前記第２端末から前記サーバ又は前記広告情報にアクセスしたアクセス数をカウントするカウント工程と、
前記カウント工程によりカウントされたアクセス数に応じて、広告主から第１端末の使用者に対して広告料が支払われる広告料支払工程と、
前記広告料支払工程によって第１端末の使用者に支払われた広告料から、前記第１端末の使用者とは異なる公共施設に対して前記広告料の少なくとも一部が施設保護費用として支払われる保護費用支払工程と、を含む広告方法である。【０１１４】
本発明の第１１の局面に係る広告方法は、少なくとも第１端末及び第２端末と、前記第１端末及び前記第２端末と通信可能なサーバを含む広告方法であって、
３６０°ＶＲ画像を含む交通施設情報を前記第２端末の表示部に表示させる施設情報表示工程と、
前記第２端末の表示部に表示される前記交通施設情報であるＶＲ画像上に広告情報を表示させる広告情報表示工程と、
前記第２端末から前記サーバ又は前記広告情報にアクセスしたアクセス数をカウントするカウント工程と、
前記カウント工程によりカウントされたアクセス数に応じて、広告主から第１端末の使用者に対して広告料が支払われる広告料支払工程と、
前記広告料支払工程によって第１端末の使用者に支払われた広告料から、前記第１端末の使用者とは異なる交通施設に対して前記広告料の少なくとも一部が施設保護費用として支払われる保護費用支払工程と、を含む広告方法である。【０１１５】
第２端末からサーバ又は広告情報（Ｗｅｂサイト等）にアクセスしたアクセス数がカウント工程によってカウントされ、そのカウントされたアクセス数に応じて、第１端末の使用者が、文化施設、公共施設又は交通施設に対して、文化施設保護費用、公共施設保護費用又は交通施設保護費用として支払う。【０１１６】
第１端末の使用者には、実際の第１端末の使用者だけでなく、第１端末の使用者と同視できる者も含まれる。例えば、第１端末の使用者から依頼された第三者が、広告主から広告料を受け取り、文化施設に対して施設保護費用として広告料の少なくとも一部を支払うとしてもよい。【０１１７】
文化施設情報と共に広告情報が端末の表示部に表示されるため、端末の利用者にとっては、文化施設情報を入手すると共に、例えばその文化施設が設けられている場所（地域）の周辺の広告情報（例えば店舗情報等）も入手することができ、観光に利用することができるという利点がある。【０１１８】
また、広告主にとっては、文化施設情報と共に広告情報が端末の表示部に表示されるため、例えば、広告の対象である店舗や商品等のブランド化に繋がるという利点がある。【０１１９】
また、広告主である企業等にとっては、広告を掲載するだけで、動物園、植物園等の文化施設に対して維持費用を支払うことになり、ＣＳＲを果たすことになるという利点がある。【０１２０】
動物園、植物園等の文化施設にとっては、第１端末の使用者が広告主から得た広告料の少なくとも一部が、第１端末の使用者から文化施設に支払われるため、その広告収入を文化施設の維持費用に充当することができるという利点がある。そして、文化施設等は、広告収入により文化施設の修繕等を行うことができ、文化施設を維持することができる。【０１２１】
動物園・水族館等の文化施設では、動物・魚等のエサ代が非常にかかり、また、飼育員の給料等も賄う必要がある。このような文化施設においては、これらの費用を広告費用で賄うことができるという利点がある。【０１２２】
また、動物園・植物園等の文化施設は、広告費用を得ることにより、新しいサービスを提供したり、入園料、入館料等を下げることが可能である。【０１２３】
広告情報が文化施設情報と共に端末に表示されることにより生じる広告費用が、文化施設維持費用に充当されることにより、端末の利用者は、端末に表示される広告を見ることで観光地の文化施設維持に繋がり、社会貢献をすることができる。  【０１２４】
また、文化施設が設けられている場所の周辺の企業、店舗等は、広告情報が文化施設情報と共に端末に表示されることにより、端末の利用者に対して広告宣伝できるだけでなく、その広告費用が文化施設維持費用に充当されることにより、文化施設維持という地域貢献、社会貢献、ＣＳＲ活動を行うことができる。【０１２５】
公園等の公共施設では、例えば公共施設が公園の場合、遊具のメンテナンス費用、芝生や砂場の管理費用、トイレの清掃費用、敷地内の清掃費用、建物の維持費用、清掃員の給料等も捻出する必要がある。【０１２６】
第１端末の使用者が得た広告料の少なくとも一部が、第１端末の使用者から公共施設保護費用として公共施設に支払われるため、このような公共施設においては、これらの費用を広告費用で賄うことができるという利点がある。【０１２７】
また、公園等の公共施設は、広告費用を得ることにより、新しいサービスを提供したり、新しい遊具を導入したりすることが可能である。【０１２８】
広告情報が公共施設情報と共に端末に表示されることにより生じる広告費用が、公共施設維持費用に充当されることにより、利用者等の端末の利用者は、端末に表示される広告を見ることで公共施設維持に繋がり、社会貢献をすることができる。  【０１２９】
また、公共施設が設けられている場所の周辺の企業、店舗等は、広告情報が公共施設情報と共に端末に表示されることにより、利用者等の端末の利用者に対して広告宣伝できるだけでなく、その広告費用が公共施設維持費用に充当されることにより、公共施設維持という地域貢献、社会貢献、ＣＳＲ活動を行うことができる。【０１３０】
鉄道、バス、空港等の交通施設では、例えば市営地下鉄等の鉄道の場合、駅内の清掃費用、駅内のトイレの清掃費用、案内サービス費用、清掃員等の給料等の費用を捻出する必要がある。【０１３１】
第１端末の使用者が得た広告料の少なくとも一部が、第１端末の使用者から施設保護費用として交通施設に支払われるため、このような交通施設においては、これらの費用を広告費用で賄うことができるという利点がある。【０１３２】
また、鉄道等の交通施設は、広告費用を得ることにより、それを衛生面の向上に役立てることができる。つまり、鉄道等の交通施設は、広告費用をトイレの清掃等に充当することができる。【０１３３】
広告情報が鉄道施設情報と共に端末に表示されることにより生じる広告費用が、鉄道施設の衛生面向上のための費用に充当されることにより、端末の利用者は、端末に表示される広告を見ることで鉄道施設の衛生面の向上に繋がり、社会貢献をすることができる。  【０１３４】
また、交通施設が設けられている場所の周辺の企業、店舗等は、広告情報が交通施設情報と共に端末に表示されることにより、端末の利用者に対して広告宣伝できるだけでなく、その広告費用が交通施設の衛生面向上のための費用に充当されることにより、地域貢献、社会貢献、ＣＳＲ活動を行うことができる。【０１３５】
さらに、地域貢献、社会貢献、ＣＳＲ活動でどのようなことをすればよいか困っている企業の手助けとなる。【０１３６】
また、ＣＳＲの予算を組まなければならない大企業は、本発明を用いてＣＳＲ活動を行うことにより、ＣＳＲの費用を広告費用に充当することができる。したがって、このような大企業にとっては、広告費用を削減することができるという利点がある。【０１３７】
また、当該広告費用が文化施設維持費用に充当されることにより、文化施設が保護され、国又は地方公共団体にとっては、地域経済の活性化という利点がある。【０１３８】
また、動物園、植物園等の文化施設が設けられている地域が活性化することにより、大企業等の企業の地方への注目度が高まり、大企業等の企業が、文化施設が設けられている地域に投資し、より地域経済が活性化するという効果を有する。【０１３９】
本発明に係る広告システムの方法は、前記端末の表示部に地図情報を表示させる地図情報表示工程、
前記端末の表示部に観光情報を表示させる観光情報表示工程、
前記端末の表示部に交通情報を表示させる交通情報表示工程、
前記端末の表示部に緊急情報を表示させる緊急情報表示工程、
及び、前記端末の表示部に、目的地までの案内情報を表示させる案内情報表示工程、の少なくともいずれかを含む方法が好ましい。【０１４０】
このようなものであれば、端末の表示部に文化施設情報、公共施設情報及び交通施設情報の少なくともいずれかと共に、観光情報、交通情報、緊急情報又は案内情報が表示されるため、端末の利用者にとって活用し易くなる。【０１４１】
具体的には、文化施設が設けられている動物園、植物園等の周辺の観光情報がわかる。また、文化施設が設けられている動物園、植物園等へどの交通機関を利用すればよいかといった交通情報がわかる。また、災害時の避難情報等の緊急情報がわかる。また、目的地まで案内する案内情報がわかる。公共施設及び交通施設も同様である。【０１４２】
なお、端末に表示される言語は、日本語、英語、中国語、韓国語、フランス語、ドイツ語等どのような言語であってもよい。
【図面の簡単な説明】
【０１４３】
【図１】本発明に係る一実施形態における広告システムの概略図。
【図２】本発明に係る一実施形態における広告システムの概略図。
【図３】本発明に係る一実施形態における広告システムの概略図。
【図４】本発明に係る一実施形態における広告システムの端末の概念図。
【図５】本発明に係る一実施形態における広告システムの端末の概念図。
【図６】本発明に係る一実施形態における広告システムの概略図。
【図７】本発明に係る一実施形態における広告システムのフローチャート。
【図８】本発明に係る一実施形態における広告システムのフローチャート。
【図９】本発明に係る一実施形態における広告システムの概略図。
【図１０】本発明に係る一実施形態における広告システムの概略図。
【図１１】本発明に係る一実施形態における広告システムのフローチャート。
【発明を実施するための形態】
【０１４４】
以下、本発明に係る広告システム１００の実施形態に関して図面を参照しながら説明する。
【０１４５】
＜第１実施形態＞
図１に示すように、本実施形態に係る広告システム１００は、サーバであるクラウドサーバ２００と、
クラウドサーバ２００にアクセスすることが可能な端末である第１端末３００と、
クラウドサーバ２００にアクセスすることが可能な端末である第２端末４００と、を含む。
【０１４６】
クラウドサーバ２００は、クラウド上に構築されたサーバであり、インターネットを通じてサーバ機能を利用することができるものである。なお、本実施形態では、サーバとしてクラウドサーバ２００を用いているが、通常のサーバであってもよい。
【０１４７】
クラウドサーバ２００は、第１端末３００及び第２端末４００がインターネットで接続可能な通信部２１０と、
施設関連画像ＣＰ等の文化施設情報、公共施設情報又は交通施設情報を第２端末４００の第２表示部４３０に表示させる施設情報部２２０と、
広告情報画像ＡＩ等の広告情報を第２端末４００の第２表示部４３０に表示させる広告情報部２３０と、
第２端末４００からのアクセス数をカウントするカウント部２６０と、
カウント部２６０でカウントされたアクセス数に応じて、第１端末３００の使用者とは異なる文化施設等に対して、第１端末３００の使用者によって、広告主から支払われた広告料の少なくとも一部が文化施設保護費用、公共施設保護費用又は交通施設保護費用として支払われる支払額を決定する保護費用算出部２７０と、を含む。
【０１４８】
通信部２１０は、第１端末３００及び第２端末４００と通信する。通信方法は、有線、無線いずれであってもよい。通信部２１０と第２端末４００との通信は、Ｗｉ−Ｆｉ、Ｂｅａｃｏｎ、ＬＴＥ（Ｌｏｎｇ  Ｔｅｒｍ  Ｅｖｏｌｕｔｉｏｎ）等の無線が好ましい。第１端末３００及び第２端末４００は、複数あってもよい。
【０１４９】
本実施形態では、通信部２１０は、Ｗｉ−Ｆｉによってクラウドサーバ２００と、利用者の第２端末４００とが通信する。
【０１５０】
本実施形態では、Ｗｉ−Ｆｉ等の無線通信機器は、第１端末３００の使用者又は第１端末３００の使用者からの依頼によって、文化施設、公共施設又は交通施設の敷地内に設置されている。なお、既にＷｉ−Ｆｉ等の無線通信機器が設置されている場合は、当該Ｗｉ−Ｆｉ等の無線通信機器を利用してもよい。
【０１５１】
また、第１端末３００の使用者は、広告主（図６では広告主Ａ、広告主Ｂ、広告主Ｃ）から広告料を徴収することにより、文化施設、公共施設又は交通施設の敷地内に設置するＷｉ−Ｆｉ等の無線通信機器の設置費用、及び、通信費用を、第２端末４００の利用者から徴収しなくてもよくなる。
【０１５２】
施設情報部２２０は、第２端末４００の第２表示部４３０に３６０°ＶＲ画像を含む施設関連画像ＣＰを表示させる。つまり、第２端末４００の利用者が、後述する第２通信部４１０を介してクラウドサーバ２００にアクセスすることにより、第２端末４００の第２表示部４３０に、３６０°ＶＲ画像を含む施設関連画像ＣＰ等の文化施設情報、公共施設情報又は交通施設情報が表示される。
【０１５３】
本実施形態では、施設関連画像ＣＰは、３６０°ＶＲ画像であり、施設は３６０°第２端末４００の画面（第２表示部４３０）上に表示される。
【０１５４】
本実施形態では、施設情報部２２０は、３６０°ＶＲ画像を制御する。つまり、第２端末４００の第２表示部４３０に表示される３６０°ＶＲ画像は、自動で動いているが、施設情報部２２０は、その動きを制御する。
【０１５５】
第２端末４００の利用者は、例えば第２端末４００がスマートフォンやタブレットの場合、第２端末４００の第２表示部４３０に触れることにより、３６０°ＶＲ画像の表示を操作することができる。
【０１５６】
第２表示部４３０に表示させる情報が文化施設情報の場合、施設情報部２２０は、第２端末４００の第２表示部４３０に文化施設の説明文、文化施設の歴史等の文字情報を表示させる。
【０１５７】
文化施設の説明文及び歴史等の文化施設情報は、３６０°ＶＲ画像と連動して、第２端末４００の第２表示部４３０上で移動するようにしてもよく、また、第２表示部４３０上に固定されてもよい。
【０１５８】
第２表示部４３０に表示させる情報が文化施設情報の場合、３６０°ＶＲ画像を含む施設関連画像ＣＰと共に文化施設の内容に基づいた情報及び歴史等の文化施設情報が、第２表示部４３０に表示される。
【０１５９】
「施設関連画像ＣＰ」には、例えば動物園であれば動物の画像、水族館であれば魚、ペンギン又はクジラ等の画像、美術館や博物館であれば、展示品の画像等が含まれる。
【０１６０】
第２表示部４３０に表示させる情報が文化施設情報の場合、施設情報部２２０は、施設関連画像ＣＰとは別に文化施設に関連する動画を保存し、第２表示部４３０に当該動画が表示されるようにしてもよい。
【０１６１】
第２表示部４３０に表示させる情報が公共施設情報の場合、３６０°ＶＲ画像を含む施設関連画像ＣＰと共に公共施設の内容に基づいた情報が、第２表示部４３０に表示される。
【０１６２】
例えば公共施設が公園の場合、公園の施設情報が、第２表示部４３０に表示される。
【０１６３】
「施設関連画像ＣＰ」には、例えば公園であれば、アスレチックの画像、遊具の画像、広場の画像、川又は池等の画像等が含まれる。
【０１６４】
第２表示部４３０に表示させる情報が公共施設情報の場合、施設情報部２２０は、施設関連画像ＣＰとは別に公共施設に関連する動画を保存し、第２表示部４３０に当該動画が表示されるようにしてもよい。
【０１６５】
第２表示部４３０に表示させる情報が交通施設情報の場合、３６０°ＶＲ画像を含む施設関連画像ＣＰと共に交通施設の内容に基づいた情報が、第２表示部４３０に表示される。
【０１６６】
例えば交通施設が駅の場合、駅の施設情報が、第２表示部４３０に表示される。
【０１６７】
「施設関連画像ＣＰ」には、例えば駅であれば、駅内の店舗等の施設の画像、ホームの画像、改札の画像等が含まれる。
【０１６８】
第２表示部４３０に表示させる情報が交通施設情報の場合、施設情報部２２０は、施設関連画像ＣＰとは別に交通施設に関連する動画を保存し、第２表示部４３０に当該動画が表示されるようにしてもよい。
【０１６９】
広告情報部２３０は、広告情報画像ＡＩ等の広告情報を保存し、第２端末４００の第２表示部４３０に広告情報画像ＡＩ等の広告情報を表示させる。つまり、第２端末４００の利用者が、後述する第２通信部４１０を介してクラウドサーバ２００にアクセスすることにより、第２端末４００の第２表示部４３０に、広告情報画像ＡＩが表示される。
【０１７０】
本実施形態では、広告情報画像ＡＩである第１広告情報画像ＡＩ１は、３６０°ＶＲ画像を含む施設関連画像ＣＰ上に表示される。また、広告情報画像ＡＩが、広告主のＷｅｂサイトとリンク付けされるようにしてもよい。
【０１７１】
第１広告情報画像ＡＩ１は、３６０°ＶＲ画像と連動して、第２端末４００の第２表示部４３０上で移動するようにしてもよく、また、第２表示部４３０上に固定されてもよい。
【０１７２】
第２端末４００の利用者は、例えば第２端末４００がスマートフォン又はタブレットの場合、当該利用者が第２表示部４３０であるディスプレイの第１広告情報画像ＡＩ１に触れる（選択する）ことにより、当該第１広告情報画像ＡＩ１のＷｅｂサイトが表示される。
【０１７３】
広告情報画像ＡＩが選択されると、割引チケット、イベントチケット等が表示されるようにしてもよい。また、当該割引チケット、イベントチケット等は、バーコード又は二次元バーコードで表示されるようにしてもよい。
【０１７４】
カウント部２６０は、第２端末４００からクラウドサーバ２００にアクセスしたアクセス数をカウントする。
【０１７５】
カウント部２６０は、広告情報画像ＡＩにアクセスしたアクセス数をカウントするものであってもよい。
【０１７６】
なお、カウント部２６０は、広告情報画像ＡＩが広告主のＷｅｂサイトとリンク付けされている場合、当該Ｗｅｂサイトにアクセスした場合のアクセス数をカウントするものであってもよい。
【０１７７】
保護費用算出部２７０では、カウント部２６０によってカウントされたアクセス数に応じて広告料が算出される。
【０１７８】
広告主は、算出された広告料を第１端末３００の使用者又は第１端末３００の使用者の依頼先に支払う。
【０１７９】
第１端末３００の使用者の依頼先は、文化施設、公共施設又は交通施設とは異なる第三者である。第１端末３００の使用者の依頼先は、例えば財団法人等が挙げられる。
【０１８０】
そして、保護費用算出部２７０では、算出された広告料に基づいて文化施設保護費用、公共施設保護費用又は交通施設保護費用が算出される。
【０１８１】
算出された文化施設保護費用、公共施設保護費用又は交通施設保護費用は、第１端末３００の使用者、又は当該使用者の依頼先から、文化施設、公共施設又は交通施設に対して支払われる。
【０１８２】
つまり、算出された文化施設保護費用は、第１端末３００の使用者、又は当該使用者の依頼先から、文化施設に対して支払われる。
【０１８３】
また、算出された公共施設保護費用は、第１端末３００の使用者、又は当該使用者の依頼先から、公共施設に対して支払われる。
【０１８４】
また、算出された交通施設保護費用は、第１端末３００の使用者、又は当該使用者の依頼先から、交通施設に対して支払われる。
【０１８５】
なお、本実施形態では、第１端末３００の使用者と、文化施設、公共施設又は交通施設とは同一の者ではない。
【０１８６】
（第１端末３００）
端末である第１端末３００は、クラウドサーバ２００にアクセスするため、インターネットにアクセスするための通信機能である第１通信部３１０と、
後述する施設関連画像ＣＰ等の文化施設情報、公共施設情報及び交通施設情報の少なくともいずれかと広告情報画像ＡＩ等の広告情報とを保存する第１記憶部３２０と、
前記施設関連画像ＣＰ等の文化施設情報及び前記広告情報画像ＡＩ等の広告情報を表示する第１表示部３３０と、を含む。
【０１８７】
第１端末３００の例としては、パソコン、スマートフォン（携帯電話）、タブレットが挙げられる。
【０１８８】
第１通信部３１０は、インターネットをするための通信を行うところである。第１通信部３１０により、第１端末３００は、クラウドサーバ２００にアクセスすることができる。
【０１８９】
なお、第１通信部３１０では、Ｗｉ−Ｆｉ（無線ＬＡＮ）又は有線ＬＡＮ等でインターネットにアクセスすることも含む。
【０１９０】
第１記憶部３２０では、クラウドサーバ２００に保存されているＷｅｂサイトにアップロードするための３６０°ＶＲ画像を含む施設関連画像ＣＰ等の文化施設情報、公共施設情報及び交通情報の少なくともいずれかと広告情報画像ＡＩ等の広告情報とが保存される。
【０１９１】
なお、第１端末３００の作業者は、３６０°ＶＲ画像を含む施設関連画像ＣＰ等の文化施設情報、公共施設情報及び交通情報の少なくともいずれかと広告情報画像ＡＩ等の広告情報とを第１端末３００の第１記憶部３２０に保存したが、第１記憶部３２０に保存せずに、直接、クラウドサーバ２００にアップロードし、クラウドサーバ２００に保存してもよい。
【０１９２】
第１表示部３３０では、Ｗｅｂサイトにアップロードされた３６０°ＶＲ画像を含む施設関連画像ＣＰ等の文化施設情報、公共施設情報及び交通情報の少なくともいずれかと広告情報画像ＡＩ等の広告情報とを表示させることができる。
【０１９３】
つまり、作業者は、第１表示部３３０で表示される画面により施設関連画像ＣＰ等の文化施設情報、公共施設情報及び交通施設情報と、広告情報画像ＡＩ等の広告情報の配置等の確認をすることができる。なお、第１記憶部３２０に保存されるのは、画像だけでなく動画であってもよい。また、画像は複数枚であってもよい。
【０１９４】
本実施形態では、施設関連画像ＣＰは、ＶＲ（Ｖｉｒｔｕａｌ  Ｒｅａｌｉｔｙ）３６０°画像である。なお、施設関連画像ＣＰは、動画であってもよい。
【０１９５】
（第２端末４００）
端末である第２端末４００は、インターネットにアクセスするための通信機能である第２通信部４１０と、
クラウドサーバ２００にアクセスするためのアプリケーションであるアプリ４２０と、
第２アプリ４１０のアイコン（図示しない）又はクラウドサーバ２００に保存されている文化施設情報、公共施設情報及び交通施設情報の少なくともいずれかと、広告情報とが表示される第２表示部４３０と、を含む。
【０１９６】
第２端末４００の例は、スマートフォン、ノートパソコン、タブレット等が挙げられる。
【０１９７】
第２通信部４１０は、インターネットにアクセスするための通信を行うところである。第２通信部４１０により、第２端末４００は、クラウドサーバ２００にアクセスすることができる。
【０１９８】
アプリ４２０は、クラウドサーバ２００にアクセスするためのアプリケーションソフトである。アプリ４２０が第２端末４００にダウンロードされることにより、第２端末４００の第２表示部４３０である画面上に、アプリ４２０のアイコン（図示しない）が表示される。
【０１９９】
本実施形態では、アプリ４２０のアイコン（図示せず）が第２端末４００の第２表示部４３０に表示されている。第２端末４００の利用者は、アプリ４２０のアイコンを選択することにより、第２通信部４１０を介して、クラウドサーバ２００にアクセスする。
【０２００】
図４に示すように、第２表示部４２０では、第２端末４００が、クラウドサーバ２００にアクセスすることにより、３６０°ＶＲ画像を含む施設関連画像ＣＰ等の文化施設情報、公共施設情報及び交通施設情報の少なくともいずれかと、広告情報画像ＡＩ（第１広告情報画像ＡＩ１）等の広告情報とが表示される。
【０２０１】
図４は、文化施設としての水族館の例であり、施設関連画像ＣＰとしてはペンギンが第２表示部４２０に表示されている。
【０２０２】
本実施形態では、ペンギンが水族館のどの場所にいるか、どの時間帯に行けばペンギンと触れ合えるイベントに参加できるか、費用はいくらか、割引情報はあるか等の文化施設情報が表示される。
【０２０３】
図４では、施設関連画像ＣＰ１が第２表示部４２０全体に表示されている。そして、施設関連画像ＣＰである施設関連画像ＣＰ２が第２表示部４２０のｘ軸負方向側及びｙ軸負方向側に配置されている。広告情報画像ＡＩである第１広告情報画像ＡＩ１は、第２表示部４２０のｘ軸正方向側及びｙ軸負方向側に配置されている。
【０２０４】
施設関連画像ＣＰ２が選択されることにより、施設関連画像ＣＰ２が施設関連画像ＣＰ１に換わって第２表示部４２０の全体に表示される。なお、第２表示部４２０の表示上の配置は、図４に示す配置方法に限定されない。
【０２０５】
このようなシステムにより、第２端末４００の利用者は、アプリ４２０を起動させることにより、文化施設情報、公共施設情報又は交通施設情報を知ることができ、施設の利用に役立てることができる。
【０２０６】
また、第２端末４００の利用者は、第２表示部４３０により表示された広告情報（広告情報画像ＡＩ）により近隣のお店の情報も知ることができる。
【０２０７】
図２に示すように、第２端末４００は、複数あってもよい。図２では、第２端末４００が、第２端末４００ａ、第２端末４００ｂ、第２端末４００ｃ、第２端末４００ｄと複数ある。なお、第２端末４００の数は限定されない。
【０２０８】
つまり、１以上の第２端末４００がクラウドサーバ２００にアクセスされてもよい。また、第１端末３００は複数であってもよい。
【０２０９】
＜第２実施形態＞
第２実施形態では、第１実施形態と同様の内容に関しては、省略又は簡略して説明する。
【０２１０】
図３に示すように、第２実施形態では、サーバであるクラウドサーバ２００は、第１端末３００及び第２端末４００がインターネットで接続可能な通信部２１０と、
３６０°ＶＲ画像を含む施設関連画像ＣＰ等の文化施設情報、公共施設情報及び交通施設情報の少なくともいずれかを第２端末４００の第２表示部４３０に表示させる施設情報部２２０と、
広告情報画像ＡＩ等の広告情報を第２端末４００の第２表示部４３０に表示させる広告情報部２３０と、
地図情報を第２端末４００の第２表示部４３０に表示させる第１地図情報部２４０と、
観光情報を第２端末４００の第２表示部４３０に表示させる第１観光情報部２５０と、
第２端末４００からのアクセス数をカウントするカウント部２６０と、
カウント部２６０でカウントされたアクセス数に応じて、第１端末３００の使用者とは異なる文化施設、公共施設又は交通施設に対して、第１端末３００の使用者によって、広告主から支払われた広告料の少なくとも一部が文化施設保護費用、公共施設保護費用又は交通施設保護費用として支払われる支払額を決定する保護費用算出部２７０と、を含む。
【０２１１】
本実施形態では、施設関連画像ＣＰとして、３６０°ＶＲ画像である第３施設関連画像ＣＰ３が第２表示部４３０に表示されている。
【０２１２】
図５に示すように、本実施形態の第２端末４００の第２表示部４３０の上方であるｙ軸正方向側には、第４施設関連画像ＣＰ４、第５施設関連画像ＣＰ５、第６施設関連画像ＣＰ６が表示されている。
【０２１３】
第２端末４００の利用者が、第４施設関連画像ＣＰ４、第５施設関連画像ＣＰ５又は第６施設関連画像ＣＰ６を選択することにより、第２表示部４３０に選択された施設関連画像が全面に表示される。
【０２１４】
本実施形態では、広告情報画像ＡＩとして、第２広告情報画像ＡＩ２、第３広告情報画像ＡＩ３が第２表示部４３０に表示されている。
【０２１５】
施設情報部２２０及び広告情報部２３０は、第１実施形態と同様であり、上述の通りである。また、本実施形態では、Ｂｅａｃｏｎを利用しているため、第２端末４００の利用者の位置が把握される。
【０２１６】
本実施形態では、第２端末４００の第２表示部４３０には、第１アイコンＩＣ１及び第２アイコンＩＣ２が表示されており、第２端末４００の利用者は、３６０°ＶＲ画像の表示を操作することができる。
【０２１７】
第１アイコンＩＣ１は、３６０°ＶＲ画像があらかじめ設定された動きにより動いている（再生している）が、その再生のオン・オフを行う。
【０２１８】
第２アイコンＩＣ２が選択されると、第２端末４００の利用者が第２表示部４３０を触れることにより、３６０°ＶＲ画像を手動で動かすことができる。
【０２１９】
なお、第２端末４００の利用者が感覚的に操作できるようにするため、第２アイコンＩＣ２が選択されなくても、第２端末４００の利用者が第２表示部４３０に触れることにより、３６０°ＶＲ画像を操作することができる。
【０２２０】
図６に示すように、第１端末３００の使用者が広告主（図６では広告主Ａ、広告主Ｂ、広告主Ｃ）から広告料を徴収し、その広告料の少なくとも一部を、文化施設、公共施設又は交通施設に支払う。
【０２２１】
なお、第１端末３００の使用者ではなく、第１端末３００の使用者からの依頼者であってもよい。当該依頼者は、文化施設、公共施設又は交通施設以外の第三者である。
【０２２２】
第１地図情報部２４０では、動物園、植物園等の文化施設がある場所の地図情報、公園等の公共施設がある場所の地図情報、及び、駅、空港等の交通施設情報の少なくともいずれかが保存されている。そして、第２端末４００の利用者は、第２表示部４３０に表示されている所定のアイコンである第３アイコンＩＣ３を選択することにより、地図情報を第２表示部４３０に表示することができる。
【０２２３】
本実施形態では、後述する第２地図情報部５２０で表示されないような詳細な地図情報が、第１地図情報部２４０によって、第２表示部４３０に表示される。例としては、施設内の地図情報が挙げられる。
【０２２４】
なお、第１地図情報部２４０は、Ｇｏｏｇｌｅマップ（グーグル  インコーポレイテッドの使用商標、「Ｇｏｏｇｌｅ」はグーグル  インコーポレイテッドの登録商標）等のウェブ上の地図情報を第２表示部４３０に表示させるものであってもよい。
【０２２５】
第１観光情報部２５０では、動物園、植物園等の文化施設近辺の観光情報、公園等の公共施設近辺の観光情報、及び、駅、空港等の交通施設近辺の観光情報の少なくともいずれか、並びに、それら近辺の各種イベント情報が保存されている。
【０２２６】
そして、第２端末４００の利用者は、第２表示部４３０に表示されている所定のアイコンである第４アイコンＩＣ４を選択することにより、観光情報、イベント情報、体験情報を第２表示部４３０に表示することができる。
【０２２７】
第１観光情報部２５０によって第２表示部４３０に表示されるイベント情報又は体験情報と共に、広告情報部２３０によって広告情報画像ＡＩが、第２表示部４３０に表示されてもよい。
【０２２８】
第２実施形態に係る広告システム１００には、クラウドサーバ２００とは別のサーバ５００が含まれる。
【０２２９】
サーバ５００は、交通情報を第２表示部４３０に表示させる交通情報部５１０と、
地図情報を第２表示部４３０に表示させる第２地図情報部５２０と、
観光情報、イベント情報を第２表示部４３０に表示させる第２観光情報部５３０と、
地震等の災害時に避難情報等の緊急情報を第２表示部４３０に表示させる緊急情報部５４０と、
交通情報及び地図情報から目的地までルートを表示し、目的地までの案内を第２表示部４３０に表示させるナビゲーション部５５０と、
クーポンを発行するクーポン部５６０と、を含む。
【０２３０】
交通情報部５１０は、例えば動物園、植物園等の目的地に対して、第２端末４００の利用者は、どのような交通機関を利用すればよいか、どの鉄道を利用すればよいか、どのバスを利用すればよいか等の交通情報を第２表示部４３０に表示する。
【０２３１】
また、交通情報部５１０は、車を利用する場合の渋滞情報や事故情報、交通規制情報等の交通情報も第２表示部４３０に表示する。交通情報部５１０は、ウェブ上の交通情報を第２表示部４３０に表示させるものであってもよい。
【０２３２】
第２地図情報部５２０は、例えば、電車やバスの駅から動物園、植物園、公園、駅、空港、バス停等の目的地までの地図を第２表示部４３０に表示する。
【０２３３】
本実施形態では、第１地図情報部２４０とは別に第２地図情報部５２０が設けられているが、一つの地図情報部であってもよく、また、いずれか一方であってもよい。
【０２３４】
なお、第２地図情報部５２０は、Ｇｏｏｇｌｅマップ（グーグル  インコーポレイテッドの使用商標、「Ｇｏｏｇｌｅ」はグーグル  インコーポレイテッドの登録商標）等のウェブ上の地図情報を第２表示部４３０に表示させるものであってもよい。
【０２３５】
第２観光情報部５３０は、ウェブ上の観光情報を第２表示部４３０に表示させる。
【０２３６】
なお、第１観光情報部２５０又は第２観光情報部５３０には、飲食店の情報も含まれる。例えば、第２表示部４３０に表示されている所定のアイコンである第５アイコンＩＣ５が選択されることにより、第２端末４００の第２表示部４３０に、第２端末４００が位置する神社仏閣の周辺の飲食店が表示される。
【０２３７】
緊急情報部５４０は、気象庁又は地方公共団体から配信される緊急情報、避難情報を第２表示部４３０に表示させる。
【０２３８】
本実施形態では、Ｂｅａｃｏｎ等により第２端末４００の利用者の位置が把握されるため、その場所に適した緊急情報、避難情報が、緊急情報部５４０が第２表示部４３０に表示する。
【０２３９】
なお、緊急情報部５４０からの緊急情報、避難情報は、音声によって第２端末４００に伝えられてもよい。
【０２４０】
ナビゲーション部５５０は、交通情報、地図情報及び位置情報をもとに目的地までの案内を第２表示部４３０に表示する。
【０２４１】
具体的には、第２端末４００の第２表示部４３０に表示されている所定のアイコンである第６アイコンＩＣ６が選択されることにより、第２表示部４３０に地図と共に避難場所及び避難ルートが表示される。
【０２４２】
なお、本実施形態には記載していないが、第２端末４００の第２表示部４３０に天気情報が表示されるものであってもよい。
【０２４３】
具体的には、第２端末４００の第２表示部４３０に表示されている所定のアイコンである第７アイコンＩＣ７が選択されることにより、第２表示部４３０に、第２端末４００の位置情報が表示される。
【０２４４】
（広告システム１００の準備段階のフローチャート）
図７を用いて、広告システム１００の準備段階の一例についてフローチャートで説明する。
【０２４５】
文化施設、公共施設又は交通施設が設けられている敷地内にＷｉ−Ｆｉ等の無線通信機器が配置される（ステップＳ１１）。
【０２４６】
第１端末３００の使用者は、第１記憶部３２０に施設関連画像ＣＰ及びそれに関連する文化施設情報、公共施設情報及び交通施設情報の少なくともいずれかと、広告情報画像ＡＩ及びそれに関連する広告情報とを保存する（ステップＳ１２）。
【０２４７】
３６０°ＶＲ画像を含む施設関連画像ＣＰ等の文化施設情報、公共施設情報及び交通施設情報の少なくともいずれが、第１通信部３１０及び通信部２１０を介してクラウドサーバ２００の施設情報部２２０にアップロードされる。つまり、施設関連画像ＣＰ等の文化施設情報、公共施設情報及び交通施設情報の少なくともいずれかがクラウドサーバ２００に保存される（ステップＳ１３）。
【０２４８】
広告情報画像ＡＩ及びそれに関連する広告情報が、第１通信部３１０及び通信部２１０を介してクラウドサーバ２００の広告情報部２３０にアップロードされる。つまり、広告情報画像ＡＩ等の広告情報がクラウドサーバ２００に保存される（ステップＳ１４）。
【０２４９】
施設関連画像ＣＰ及びそれに関連する文化施設情報、公共施設情報及び交通施設情報の少なくともいずれかが、通信部２１０を介して第２端末４００の第２表示部４３０に表示される（ステップＳ１５、施設情報表示工程）。
【０２５０】
広告情報画像ＡＩ及びそれに関連する広告情報が、通信部２１０を介して第２端末４００の第２表示部４３０に表示される（ステップＳ１６、広告情報表示工程）。
【０２５１】
本実施形態では、３６０°ＶＲ画像上に広告情報画像ＡＩが第２端末４００の第２表示部４３０に表示される。
【０２５２】
広告情報画像ＡＩは、３６０°ＶＲ画像と共に第２表示部４３０の画面上で移動してもよく、また、常に第２表示部４３０に固定され、表示されるようにしてもよい。
【０２５３】
地図情報が、通信部２１０を介して第２端末４００の第２表示部４３０に表示される（ステップＳ１７、地図情報表示工程）。
【０２５４】
第２端末４００の第２表示部４３０に表示されている第３アイコンＩＣ３が選択されると、地図情報が第２表示部４３０に表示される。
【０２５５】
観光情報が、通信部２１０を介して第２端末４００の第２表示部４３０に表示される（ステップＳ１８、観光情報表示工程）。
【０２５６】
第２端末４００の第２表示部４３０に表示されている第４アイコンＩＣ４が選択されると、観光情報が第２表示部４３０に表示される。
【０２５７】
交通情報が、通信部２１０を介して第２端末４００の第２表示部４３０に表示される（ステップＳ１９、交通情報表示工程）。
【０２５８】
第２端末４００の第２表示部４３０に表示されている第８アイコンＩＣ８が選択されると、交通情報が第２表示部４３０に表示される。
【０２５９】
緊急情報が、通信部２１０を介して第２端末４００の第２表示部４３０に表示される（ステップＳ２０、緊急情報表示工程）。
【０２６０】
本実施形態では、緊急情報は、自動的に第２端末４００の第２表示部４３０に表示される。
【０２６１】
目的地までの案内情報が、通信部２１０を介して第２端末４００の第２表示部４３０に表示される（ステップＳ２１、案内情報表示工程）。
【０２６２】
第２端末４００の第２表示部４３０に表示されている第７アイコンＩＣ７が選択されると、地図情報と現在地情報が表示され、目的地を入力することにより、案内情報が表示される。
【０２６３】
第１端末３００の使用者は、文化施設情報、公共施設情報、交通施設情報、広告情報、地図情報、観光情報、交通情報、緊急情報又は案内情報が、第２表示部４３０でどのように表示されるか確認することができる（ステップＳ２２）。
【０２６４】
表示されている広告情報画像ＡＩが選択されると、広告情報画像ＡＩに関連する広告情報の具体的な内容が表示される。広告情報に関する公式のＷｅｂサイト等の別のＷｅｂサイトにリンクが張られていてもよい。
【０２６５】
また、広告情報画像ＡＩが選択されると、例えば広告情報画像ＡＩの広告情報が店舗情報の場合、店舗内容の説明、店舗までのアクセス、店舗でのサービス内容、販売品、割引チケット等の情報が表示される。
【０２６６】
（広告システム１００の利用態様のフローチャート）
次に、図６及び図８を用いて、広告システム１００の利用態様の一例についてフローチャートで説明する。
【０２６７】
第２端末４００の利用者は、文化施設、公共施設又は交通施設の敷地内に設置されたＷｉ−Ｆｉ等の無線通信を利用することにより、第２端末４００で、インターネットにアクセスする（ステップＳ３１）。
【０２６８】
広告システム１００に広告情報を提供する広告主（図６では広告主Ａ、広告主Ｂ、広告主Ｃ）から広告料が徴収されることにより、当該広告料の少なくとも一部を用いて、第２端末４００の利用者によるＷｉ−Ｆｉ等の無線通信の使用料を無料とすることができる。
【０２６９】
本実施形態では、第１端末３００の使用者が、広告情報を提供する広告主から広告料を徴収し、その広告料の少なくとも一部を、文化施設、公共施設又は交通施設に支払う。
【０２７０】
なお、第１端末３００の使用者の依頼によって、第三者が、広告情報を提供する広告主から広告料を徴収し、その広告料の少なくとも一部を、文化施設、公共施設又は交通施設に対して支払ってもよい。
【０２７１】
したがって、文化施設、公共施設又は交通施設は、設備投資等の費用的リスクを負うことなく、文化施設保護費用、公共施設保護費用又は交通施設保護費用として広告料の少なくとも一部を得ることができる。
【０２７２】
第２端末４００の利用者は、第２通信部４１０及び通信部２１０を介してクラウドサーバ２００にアクセスすることにより、第２端末４００の第２表示部４３０に、施設関連画像ＣＰ等の文化施設情報、公共施設情報及び交通施設情報の少なくともいずれかと、広告情報画像ＡＩ等の広告情報とを表示することができる。
【０２７３】
つまり、第２端末４００の利用者がクラウドサーバ２００にアクセスすることにより、文化施設情報、公共施設情報及び交通施設情報の少なくともいずれかと、広告情報とが第２端末４００の第２表示部４３０に表示される（ステップＳ３２）。
【０２７４】
したがって、観光客等の第２端末４００の利用者は、第２表示部４３０に表示される文化施設情報、公共施設情報又は交通施設情報と、広告情報とを観光に役立てることができる。
【０２７５】
また、観光客等の第２端末４００の利用者は、本発明に係る広告システム１００を利用することにより、広告料の少なくとも一部が文化施設保護費用、公共施設保護費用又は交通施設保護費用に充当されるため、文化施設保護、公共施設保護及び交通施設保護という社会貢献をすることができる。
【０２７６】
つまり、第１端末３００の使用者が、広告料の少なくとも一部を、文化財を有する神社仏閣に文化財保護費用として支払うが、この支払いは、観光客等の第２端末４００の利用者が第２表示部４３０に表示される広告情報を見ること（アクセスすること）によって発生するものであるため、第２端末４００の使用者にとっても間接的な社会貢献になる。
【０２７７】
第２端末４００の利用者は、第２表示部４３０に表示された施設関連画像ＣＰを選択することにより、施設関連画像ＣＰ及びそれに関連する説明文等を第２表示部４３０で見ることができ、文化施設情報、公共施設情報又は交通施設情報を入手することができる。
【０２７８】
つまり、第２表示部４３０に表示された施設関連画像ＣＰが選択されることにより、具体的な文化施設情報、公共施設情報又は交通施設情報が、第２表示部４３０に表示される（ステップＳ３３）。
【０２７９】
したがって、利用者等の第２端末４００の利用者は、第２表示部４３０に表示される文化施設情報、公共施設情報又は交通施設情報と、広告情報とを施設の利用に役立てることができる。
【０２８０】
また、利用者等の第２端末４００の利用者は、本発明に係る広告システム１００を利用することにより、広告料の少なくとも一部が動物園等の文化施設維持費用、公園等の公共施設維持費用又は駅等の交通施設維持費用に充当されるため、文化施設維持、公共施設維持又は交通施設維持という社会貢献をすることができる。
【０２８１】
第２端末４００の利用者は、第２表示部４３０に表示された広告情報画像ＡＩを選択することにより、広告情報画像ＡＩ及びそれに関連する説明文、アクセス情報、サービス内容、割引チケット等の広告情報を入手することができる。特に、第２端末４００の利用者は、文化施設、公共施設又は交通施設が設けられている場所の近隣の情報を入手することができ、施設の利用に活用することができる。
【０２８２】
つまり、第２表示部４３０に表示された広告情報画像ＡＩが選択されることにより、具体的な広告情報が、第２表示部４３０に表示される（ステップＳ３４）。
【０２８３】
広告情報画像ＡＩ等の広告情報が第２端末４００の第２表示部４３０に表示されるようになった場合、広告料の少なくとも一部が、文化施設維持費用、公共施設維持費用、交通施設維持費用として、文化施設である動物園、植物園等、公共施設である公園等、交通施設である駅等に支払われる。
【０２８４】
具体的には、サーバ２００のカウント部２６０は、第２端末４００からサーバ２００にアクセスされた回数をカウントする（カウント工程）。
【０２８５】
そして、サーバ２００の保護費用算出部２７０は、当該カウント数に応じて、文化施設、公共施設又は交通施設に対して支払う施設保護費用を算出する（保護費用算出工程）。
【０２８６】
そして、広告主は、サーバ２００へのアクセス数又は広告へのアクセス数に応じて第１端末３００の使用者に対して広告料を支払う（広告料支払工程）。
【０２８７】
そして、第１端末３００の使用者は、広告主から得た広告料の少なくとも一部を、文化施設保護費用、公共施設保護費用又は交通施設保護費用として、文化施設、公共施設又は交通施設に支払う。具体的には、保護費用算出部２７０によって算出された文化施設保護費用、公共施設保護費用又は交通施設保護費用を、第１端末３００の使用者は、文化施設、公共施設又は交通施設に支払う。
【０２８８】
つまり、広告料の少なくとも一部は、文化施設維持費用、公共施設維持費用又は交通施設維持費用として充当される（ステップＳ３５、施設維持費用充当工程）。
【０２８９】
文化施設維持費用が文化施設の修繕等、公共施設維持費用が公共施設の修繕等又は交通施設維持費用が交通施設の修繕等に用いられることにより、文化施設、公共施設又は交通施設が維持される（ステップＳ３６、施設維持工程）。
【０２９０】
これにより、より一層、文化施設である動物園、植物園等、公共施設の講演等又は交通施設の駅等に、利用者等である第２端末４００の利用者が来るようになる。
【０２９１】
そして、文化施設、公共施設及び交通施設が維持されることにより、文化施設、公共施設及び交通施設が設けられている地域に利用者が来るため、国又は地方公共団体にとっては、地域経済の活性化という利点がある。  
【０２９２】
そして、文化施設、公共施設及び交通施設が設けられている地域が活性化することにより、大企業等の企業が、文化施設、公共施設及び交通施設が設けられている地域に注目し投資することより、一層地域経済が活性化する。
【０２９３】
広告主の企業等は、文化施設情報、公共施設情報及び交通施設情報の少なくともいずれかと共に広告情報が第２端末４００の第２表示部４３０に表示されることにより、広告に関する店舗、商品等のブランド力が向上する。
【０２９４】
また、広告主の企業等は、文化施設情報、公共施設情報及び交通施設情報の少なくともいずれかと共に広告情報が第２端末４００の第２表示部４３０に表示されることにより生じる広告料の少なくとも一部が、文化施設維持、公共施設維持又は交通施設維持に用いられることにより、地域貢献、社会貢献、ＣＳＲ活動をすることができる。
【０２９５】
特に、広告主の企業等は、文化施設情報、公共施設情報及び交通施設情報の少なくともいずれかと共に広告情報が第２端末４００の第２表示部４３０に表示されることにより生じる広告料の少なくとも一部が、衛生面特にトイレ等の清掃費用として充当されることにより、地域貢献、社会貢献、ＣＳＲ活動として社会にアピールすることができる。
【０２９６】
そして、ＣＳＲの予算を組む必要がある大企業にとっては、本発明を用いることでＣＳＲ活動の費用を広告費用に充当することができる。したがって、このような大企業にとっては、広告費用を削減することができるという利点がある。
【０２９７】
つまり、例えば販売費及び一般管理費に対して、広告費用が１０％、ＣＳＲ費用が１％の場合、本発明を用いることにより、ＣＳＲ費用が広告費用に充当されるので、広告費用は９％で済むことになる。
【０２９８】
（クーポンの発行）
店舗等の商品割引クーポンやサービス付加クーポン等のクーポンは、クーポン発行部５６０によって発行される。
【０２９９】
クーポン発行部５６０は、広告動画Ｍをアップロード及び再生をする広告動画部５６１と、
クーポンを選択及び決定をするクーポン選択発行部５６２と、を含む。
【０３００】
具体的に述べると、第９アイコンＩＣ９は、広告動画Ｍの動画用ＵＲＬと紐付けされている。そのため、第２端末４００の利用者が第９アイコンＩＣ９を選択すると、広告動画Ｍは、第２端末４００の第２表示部４３０に表示され再生する。つまり、広告動画部５６１が第２表示部４３０で広告動画Ｍを再生する。
【０３０１】
広告動画Ｍの再生が所定時間終了すると、クーポン選択画面Ｃ１が第２端末４００の第２表示部４３０に表示される。
【０３０２】
つまり、クーポン選択発行部５６２が、クーポン選択画面Ｃ１を第２表示部４３０に表示させる。
【０３０３】
第２端末４００の利用者が、クーポン選択画面Ｃ１に表示されているクーポンを選択することにより、第２表示部４３０は、確認画面ＣＦを経由してクーポン発行済画面Ｃ２となる。つまり、クーポン選択発行部５６２がクーポンを発行する。
【０３０４】
クーポン発行済画面Ｃ２では、クーポンが表示されている。第２端末４００の利用者は、そのクーポンが表示された画面を店舗の店員等に見せることで、クーポンを使用することができる。
【０３０５】
なお、クーポンにバーコードが表示され、店舗でそのバーコードが読み込まれることにより、クーポンが使用できるようにしてもよい。
【０３０６】
第２端末４００の利用者がクーポンを取得した場合、つまり、第２端末４００の第２表示部４３０にクーポンが表示された場合、その履歴は、履歴データＡＲに記録される。
【０３０７】
履歴データＡＲに記録された場合、第２端末４００の利用者は、再度広告動画Ｍを視聴することにより、再度クーポンを取得することができる。
【０３０８】
店舗データＳは、クーポン選択画面Ｃ１及びクーポン発行済画面Ｃ２とリンクしている。つまり、店舗データＳに記録されている店舗情報に基づいてクーポンが作成される。
【０３０９】
管理画面ａｄｍは、店舗データＳ、動画用ＵＲＬ、広告動画Ｍ、クーポン選択画面Ｃ１及びクーポン発行済画面Ｃ２を管理する画面である。
【０３１０】
（クーポン発行のフローチャート）
第２端末４００の利用者が、第２端末４００の第２表示部４３０に表示されている第９アイコンＩＣ９を選択する（ステップＳ４１）。
【０３１１】
第９アイコンＩＣ９には、動画用ＵＲＬがリンクされており、第２表示部４３０に広告動画Ｍが再生される（ステップＳ４２、広告動画再生工程）。
【０３１２】
広告動画Ｍが所定時間再生される又は終了すると、第２表示部４３０にクーポン選択画面Ｃ１が表示される（ステップＳ４３、クーポン選択発行工程）。
【０３１３】
第２端末４００の利用者が、例えば利用したい店舗の割引クーポン等のクーポンを選択すると、第２表示部４３０には、確認画面ＣＦが表示される（ステップＳ４４、クーポン選択発行工程）。
【０３１４】
第２端末４００の利用者は、確認画面ＣＦにおいてクーポン等の内容を確認し、了承ボタン等を選択することにより、クーポンが発行される。つまり、クーポンが発行され、クーポン発行済画面Ｃ２が第２表示部４３０に表示される（ステップＳ４５、クーポン選択発行工程）。
【０３１５】
確認画面ＣＦにおいて、第２端末４００の利用者が了承ボタン等を選択し、内容を確認した場合、その履歴は、履歴データＡＲに記録される（ステップＳ４６、履歴記録工程）。
【０３１６】
第２端末４００の利用者は、クーポン発行の履歴が履歴データＡＲに記録されているため、再度クーポンを取得したい場合は再度広告動画Ｍを視聴する必要がある（ステップＳ４７）。
【０３１７】
本発明は、その趣旨を逸脱しない範囲で種々の改良、修正、又は変形を加えた態様でも実施できる。
【産業上の利用可能性】
【０３１８】
本発明によれば、文化施設情報、公共施設情報又は交通施設情報に関連して広告情報を表示させる広告システム、広告システムプログラム、広告方法を提供することができる。【０３１９】
また、本発明であれば、清掃費用やメンテナンス費用を捻出する広告システムを提供することができる。したがって、本発明は産業上の利用可能性を有する。
【符号の説明】
【０３２０】
１００…広告システム
２００…クラウドサーバ（サーバ）
２１０…通信部
２２０…施設情報部
２３０…広告情報部
２４０…第１地図情報部（地図情報部）
２５０…第１観光情報部（観光情報部）
２６０…カウント部
２７０…保護費用算出部
３００…第１端末（端末）
３１０…第１通信部
３２０…第１記憶部
３３０…第１表示部（表示部）
４００…第２端末（端末）
４１０…第２通信部
４２０…アプリ（アプリケーション）
４３０…第２表示部（表示部）
５００…サーバ
５１０…交通情報部
５２０…第２地図情報部（地図情報部）
５３０…第２観光情報部（観光情報部）
５４０…緊急情報部
５５０…ナビゲーション部
【図１】
2018186319.tif 000003
【図２】
2018186319.tif 000004
【図３】
2018186319.tif 000005
【図４】
2018186319.tif 000006
【図５】
2018186319.tif 000007
【図６】
2018186319.tif 000008
【図７】
2018186319.tif 000009
【図８】
2018186319.tif 000010
【図９】
2018186319.tif 000011
【図１０】
2018186319.tif 000012
【図１１】
2018186319.tif 000013
【国際調査報告】
2018186319.tif 000014
2018186319.tif 000015
2018186319.tif 000016
2018186319.tif 000017